(57)【要約】  本発明は、ロード補償方法、基地局及びユーザ装置を提供する。該ロード補償方法は：補償セルの基地局が省エネセルのユーザ装置の測定した補償セルの信号品質に基いて、省エネセルのユーザ装置の補償セルにおいて要するリソース推定値を取得し（101）；省エネセルのユーザ装置の補償セルにおいて要するリソース推定値に基いて、省エネセルに対して補償を行うかどうかを確定し（102）；及び、省エネセルに対して補償を行うと確定した後に、関連するリソースのパワーを上げて省エネセルに対して補償を行う（103）ことを含む。本発明によれば、省エネセルのユーザ装置が占用する補償セルのリソースを反映することができるため、ロード補償の正確性を向上させることができる。
2014522160.tif 000002
【特許請求の範囲】
【請求項１】
補償セル及び省エネセルがジョイントしてサービスを提供する通信システムに用いるロード補償方法であって、
前記補償セルの基地局が、前記省エネセルのユーザ装置の測定した前記補償セルの信号品質に基いて、前記省エネセルのユーザ装置が前記補償セルにおいて要するリソース推定値を取得する推定値取得ステップ；
前記省エネセルのユーザ装置が前記補償セルにおいて要するリソース推定値に基いて、前記省エネセルに対して補償を行うかどうかを確定する補償確定ステップ；及び
前記省エネセルに対して補償を行うと確定した後に、関連するリソースのパワーを上げて前記省エネセルに対して補償を行うロード補償ステップを含む、方法。
【請求項２】
請求項1に記載の方法であって、
前記推定値取得ステップは、具体的に、
前記省エネセルの基地局が送信したインアクティービティーリクエストメッセージを受信するインアクティービティーリクエスト受信ステップを含み、
前記インアクティービティーリクエストメッセージは、前記リソース推定値を含み、前記リソース推定値は、前記省エネセルの基地局が前記省エネセルのユーザ装置の測定したの前記補償セルの信号品質に基いて推定により得るものである、方法。
【請求項３】
請求項1に記載の方法であって、
前記推定値取得ステップは、具体的に、
前記省エネセルの基地局が送信したインアクティービティーリクエストメッセージを受信するインアクティービティーリクエスト受信ステップであって、前記インアクティービティーリクエストメッセージは、前記省エネセルのユーザ装置が測定した前記補償セルの信号品質を含む、インアクティービティーリクエスト受信ステップ；及び
前記省エネセルのユーザ装置が測定した前記補償セルの信号品質に基いて、前記リソース推定値を推定するリソース推定ステップ、を含む、方法。
【請求項４】
請求項3に記載の方法であって、
前記リソース推定ステップは、具体的に、次の式を採用して、省エネセルの一つのユーザ装置が占用する補償セルのリソースを推定し、
BWESlog2(l+SINRES)=BWCPlog2(l+SINRCP)
そのうち、BWESは、前記省エネセルのユーザ装置が前記省エネセルにおいて占用するリソースを示し、BWCPは、前記省エネセルのユーザ装置が前記補償セルにおいて占用するリソースを示し、SINRESは、前記省エネセルのユーザ装置が測定した前記省エネセルの信号品質を示し、SINRCPは、前記省エネセルのユーザ装置が測定した前記補償セルの信号品質を示す、方法。
【請求項５】
請求項3に記載の方法であって、
前記リソース推定ステップは、具体的に、
前記省エネセルのユーザ装置が測定した前記補償セルの信号品質に基いて、前記ユーザ装置が補償セルにおいて採用する必要のある変調符号化方式を推定し、そして、前記変調符号化方式に基いて、前記補償セルにおいて占用する必要のあるリソースを推定することを含む、方法。
【請求項６】
請求項1に記載の方法であって、
前記推定値取得ステップの前に、前記方法は、さらに、
前記補償セルの基地局が、一つ又は複数のサブフレームの送信パワーを上げてサウンディングを行い、前記省エネセルのユーザ装置が、前記一つ又は複数のサブフレームに基いて、前記補償セルの信号品質を測定するサウンディング実現ステップを含む、方法。
【請求項７】
請求項6に記載の方法であって、
前記補償セルの基地局が、前記一つ又は複数のサブフレームのサブフレーム全体の送信パワーを上げ、又は、前記一つ又は複数のサブフレーム中の一部のリソースの送信パワーを上げる、方法。
【請求項８】
請求項6に記載の方法であって、
前記サウンディング実現ステップの前に、前記方法は、さらに、
前記補償セルの基地局が前記省エネセルの基地局の送信したサウンディングリクエストメッセージを受信するサウンディングリクエスト受信ステップであって、前記サウンディングリクエストメッセージは、前記省エネセルの基地局が受け得るサウンディングリソースを含む、サウンディングリクエスト受信ステップ；及び
サウンディング回復メッセージを前記省エネセルの基地局にフィードバックするサウンディングリクエスト回復ステップであって、前記サウンディング回復メッセージは、前記補償セルの基地局のサウンディング用のリソースを含む、サウンディングリクエスト回復ステップ、を含む、方法。
【請求項９】
請求項6に記載の方法であって、
前記サウンディング実現ステップの前に、前記方法は、さらに、
前記補償セルの基地局が前記省エネセルの基地局にサウンディングリクエストメッセージを送信するサウンディングリクエスト送信ステップであって、前記サウンディングリクエストメッセージは、前記補償セルの基地局のサウンディング用のリソースを含む、サウンディングリクエスト送信ステップ；及び
前記省エネセルの基地局がフィードバックしたサウンディング回復メッセージを受信するサウンディングリクエストフィードバックステップであって、前記サウンディング回復メッセージは、前記省エネセルの基地局の受け得るサウンディングリソースを含む、サウンディングリクエストフィードバックステップ、を含む、方法。
【請求項１０】
請求項1に記載の方法であって、
前記補償確定ステップにより前記省エネセルに対して補償を行うと確定して後に、前記方法は、さらに、
前記省エネセルの基地局にインアクティービティー回復メッセージを送信するインアクティービティー回復ステップを含み、
前記インアクティービティー回復メッセージは、補償用のリソース情報を含む、方法。
【請求項１１】
補償セル及び省エネセルがジョイントしてサービスを提供する通信システムに用いるロード補償方法であって、
前記省エネセルの基地局が前記省エネセルのユーザ装置の送信した、前記省エネセルのユーザ装置の測定した前記補償セルの信号品質を受信する信号値受信ステップ；及び
前記補償セルの基地局にインアクティービティーリクエストメッセージを送信し、前記補償セルの基地局が、前記インアクティービティーリクエストメッセージに基いて、前記省エネセルのユーザ装置の前記補償セルにおいて要するリソース推定値を取得するインアクティービティーリクエスト送信ステップ、を含む、方法。
【請求項１２】
請求項11に記載の方法であって、
前記インアクティービティーリクエストメッセージは、前記省エネセルのユーザ装置が測定した前記補償セルの信号品質を含む、方法。
【請求項１３】
請求項11に記載の方法であって、
前記インアクティービティーリクエストメッセージは、前記省エネセルのユーザ装置が前記補償セルにおいて要するリソース推定値を含み、
前記インアクティービティーリクエスト送信ステップの前に、前記方法は、さらに、
前記省エネセルのユーザ装置が測定した前記補償セルの信号品質に基いて、前記リソース推定値を推定により取得するリソース推定ステップを含む、方法。
【請求項１４】
請求項13に記載の方法であって、
前記リソース推定ステップは、具体的に、次の式を採用して、省エネセルの一つのユーザ装置が占用する補償セルのリソースを推定し、
BWESlog2(l+SINRES)=BWCPlog2(l+SINRCP)
そのうち、BWESは、前記省エネセルのユーザ装置が前記省エネセルにおいて占用するリソースを示し、BWCPは、前記省エネセルのユーザ装置が前記補償セルにおいて占用するリソースを示し、SINRESは、前記省エネセルのユーザ装置が測定した前記省エネセルの信号品質を示し、SINRCPは、前記省エネセルのユーザ装置が測定した前記補償セルの信号品質を示す、方法。
【請求項１５】
請求項13に記載の方法であって、
前記リソース推定ステップは、具体的に、
前記省エネセルのユーザ装置が測定した前記補償セルの信号品質に基いて、前記ユーザ装置が補償セルにおいて採用する必要のある変調符号化方式を推定し、そして、前記変調符号化方式に基いて、記補償セルにおいて占用する必要のあるリソースを推定することを含む、方法。
【請求項１６】
請求項11に記載の方法であって、
前記信号値受信ステップの前に、前記方法は、さらに、
前記省エネセルの基地局が、前記補償セルの基地局により送信パワーを上げた後の一つ又は複数のサブフレームにおいて構成を行い、前記省エネセルのユーザ装置が、前記一つ又は複数のサブフレームに基いて、前記補償セルの信号品質を測定するサウンディング構成ステップを含む、方法。
【請求項１７】
請求項16に記載の方法であって、
前記サウンディング構成ステップの前に、前記方法は、さらに、
前記省エネセルの基地局が前記補償セルの基地局の送信したサウンディングリクエストメッセージを受信するサウンディングリクエスト受信ステップであって、前記サウンディングリクエストメッセージは、前記補償セルの基地局のサウンディング用のリソースを含む、サウンディングリクエスト受信ステップ；及び
サウンディング回復メッセージを前記補償セルの基地局にフィードバックするサウンディングリクエスト回復ステップであって、前記サウンディング回復メッセージは、前記省エネセルの基地局の受け得るサウンディングリソースを含む、サウンディングリクエスト回復ステップ、を含む、方法。
【請求項１８】
請求項16に記載の方法であって、
前記サウンディング構成ステップの前に、前記方法は、さらに、
前記省エネセルの基地局が前記補償セルの基地局にサウンディングリクエストメッセージを送信するサウンディングリクエスト送信ステップであって、前記サウンディングリクエストメッセージは、前記省エネセルの基地局の受け得るサウンディングリソースを含む、サウンディングリクエスト送信ステップ；及び
前記補償セルの基地局がフィードバックしたサウンディング回復メッセージを受信するサウンディングリクエストフィードバックステップであって、前記サウンディング回復メッセージは、前記補償セルの基地局のサウンディング用のリソースを含む、サウンディングリクエストフィードバックステップ、を含む、方法。
【請求項１９】
請求項11に記載の方法であって、
インアクティービティーリクエスト送信ステップの後に、前記方法は、さらに、
前記補償セルの基地局が送信したインアクティービティー回復メッセージを受信するインアクティービティー回復受信ステップであって、前記インアクティービティー回復メッセージは、補償用のリソース情報を含む、インアクティービティー回復受信ステップ；及び
前記インアクティービティー回復メッセージに基いて、前記省エネセルのユーザ装置を前記補償セルに切り換え、そして、前記省エネセルをクローズする補償処理ステップ、を含む、方法。
【請求項２０】
補償セル及び省エネセルがジョイントしてサービスを提供する通信システムに用いるロード推定用測定方法であって、
前記補償セルの基地局が一つ又は複数のサブフレームの送信パワーを上げてサウンディングを行い、前記省エネセルのユーザ装置が前記一つ又は複数のサブフレームに基いて前記補償セルの信号品質を測定するサウンディング実現ステップを含む、方法。
【請求項２１】
請求項20に記載の方法であって、
前記補償セルの基地局が、前記一つ又は複数のサブフレームのサブフレーム全体の送信パワーを上げ、又は、前記一つ又は複数のサブフレーム中の一部のリソースの送信パワーを上げる、方法。
【請求項２２】
補償セル及び省エネセルがジョイントしてサービスを提供する通信システムに用いるロード推定用測定方法であって、
前記省エネセルのユーザ装置が、前記補償セルの基地局により送信パワーを上げた後の一つ又は複数のサブフレームに基いて、前記補償セルの信号品質を測定する信号測定ステップを含む、方法。
【請求項２３】
請求項22に記載の方法であって、
前記信号測定ステップの後に、前記方法は、さらに、
前記省エネセルの基地局に、測定された前記補償セルの信号品質を送信する信号値送信ステップを含む、方法。
【請求項２４】
補償セル及び省エネセルがジョイントしてサービスを提供する通信システムに用いる基地局であって、
前記省エネセルのユーザ装置の測定した前記補償セルの信号品質に基いて、前記省エネセルのユーザ装置の前記補償セルにおいて要するリソース推定値を取得する推定値取得器；
前記省エネセルのユーザ装置の前記補償セルにおいて要するリソース推定値に基いて、前記省エネセルに対して補償を行うかどうかを確定する補償確定器；及び
前記補償確定器により前記省エネセルに対して補償を行うと確定した後に、関連するリソースのパワーを上げて前記省エネセルに対して補償を行うロード補償器、を含む、基地局。
【請求項２５】
請求項24に記載の基地局であって、
前記推定値取得器は、具体的に、
前記省エネセルの基地局が送信したインアクティービティーリクエストメッセージを受信するインアクティービティーリクエスト受信器を含み、
前記インアクティービティーリクエストメッセージは、前記リソース推定値を含み、前記リソース推定値は、前記省エネセルの基地局が前記省エネセルのユーザ装置の測定した前記補償セルの信号品質に基いて推定により得るものである、基地局。
【請求項２６】
請求項24に記載の基地局であって、
前記推定値取得器は、具体的に、
前記省エネセルの基地局が送信したインアクティービティーリクエストメッセージを受信するインアクティービティーリクエスト受信器であって、前記インアクティービティーリクエストメッセージは、前記省エネセルのユーザ装置が測定した前記補償セルの信号品質を含む、インアクティービティーリクエスト受信器；及び
前記省エネセルのユーザ装置が測定した前記補償セルの信号品質に基いて、前記リソース推定値を推定により得るリソース推定器、を含む、基地局。
【請求項２７】
請求項26に記載の基地局であって、
前記リソース推定器は、具体的に、次の式を採用して、省エネセルの一つのユーザ装置が占用する補償セルのリソースを推定し、
BWESlog2(l+SINRES)=BWCPlog2(l+SINRCP)
そのうち、BWESは、前記省エネセルのユーザ装置が前記省エネセルにおいて占用するリソースを示し、BWCPは、前記省エネセルのユーザ装置が前記補償セルにおいて占用するリソースを示し、SINRESは、前記省エネセルのユーザ装置が測定した前記省エネセルの信号品質を示し、SINRCPは、前記省エネセルのユーザ装置が測定した前記補償セルの信号品質を示す、基地局。
【請求項２８】
請求項26に記載の基地局であって、
前記リソース推定器は、具体的に、前記省エネセルのユーザ装置が測定した前記補償セルの信号品質に基いて、前記ユーザ装置が補償セルにおいて採用する必要のある変調符号化方式を推定し、そして、前記変調符号化方式に基いて、前記補償セルにおいて占用する必要のあるリソースを推定するために用いられる、基地局。
【請求項２９】
請求項24に記載の基地局であって、さらに、
一つ又は複数のサブフレームの送信パワーを上げてサウンディングを行い、前記省エネセルのユーザ装置が前記一つ又は複数のサブフレームに基いて、前記補償セルの信号品質を測定するサウンディング実現器を含む、基地局。
【請求項３０】
請求項29に記載の基地局であって、さらに、
前記省エネセルの基地局が送信したサウンディングリクエストメッセージを受信するサウンディングリクエスト受信器であって、前記サウンディングリクエストメッセージは、前記省エネセルの基地局が受け得るサウンディングリソースを含む、サウンディングリクエスト受信器；及び
サウンディング回復メッセージを前記省エネセルの基地局にフィードバックするサウンディングリクエスト回復器であって、前記サウンディング回復メッセージは、前記補償セルの基地局のサウンディング用のリソースを含む、サウンディングリクエスト回復器、を含む、基地局。
【請求項３１】
請求項29に記載の基地局であって、さらに、
前記省エネセルの基地局にサウンディングリクエストメッセージを送信するサウンディングリクエスト送信器であって、前記サウンディングリクエストメッセージは、前記補償セルの基地局のサウンディング用のリソースを含む、サウンディングリクエスト送信器；及び
前記省エネセルの基地局がフィードバックしたサウンディング回復メッセージを受信するサウンディングリクエストフィードバック器であって、前記サウンディング回復メッセージは、前記省エネセルの基地局が受け得るサウンディングリソースを含む、サウンディングリクエストフィードバック器、を含む。基地局。
【請求項３２】
請求項24に記載の基地局であって、さらに、
前記補償確定器により前記省エネセルに対して補償を行うと確定した後に、前記省エネセルの基地局にインアクティービティー回復メッセージを送信するインアクティービティー回復器を含み、
前記インアクティービティー回復メッセージは、補償用のリソース情報を含む、基地局。
【請求項３３】
補償セル及び省エネセルがジョイントしてサービスを提供する通信システムに用いる基地局であって、
前記省エネセルのユーザ装置が送信した、前記省エネセルのユーザ装置が測定した前記補償セルの信号品質を受信する信号値受信器；及び
前記補償セルの基地局にインアクティービティーリクエストメッセージを送信し、前記補償セルの基地局が前記インアクティービティーリクエストメッセージに基いて、前記省エネセルのユーザ装置が前記補償セルにおいて要するリソース推定値を取得するインアクティービティーリクエスト送信器、を含む、基地局。
【請求項３４】
請求項33に記載の基地局であって、さらに、
前記省エネセルのユーザ装置が測定した前記補償セルの信号品質に基いて、前記リソース推定値を推定により得るリソース推定器を含む、基地局。
【請求項３５】
請求項33に記載の基地局であって、さらに、
前記補償セルの基地局により送信パワーが上げられた後の一つ又は複数のサブフレームにおいて構成を行い、前記省エネセルのユーザ装置が前記一つ又は複数のサブフレームに基いて前記補償セルの信号品質を測定するサウンディング構成器を含む、基地局。
【請求項３６】
請求項35に記載の基地局であって、さらに、
前記補償セルの基地局が送信したサウンディングリクエストメッセージを受信するサウンディングリクエスト受信器であって、前記サウンディングリクエストメッセージは、前記補償セルの基地局のサウンディング用のリソースを含む、サウンディングリクエスト受信器；及び
サウンディング回復メッセージを前記補償セルの基地局にフィードバックするサウンディングリクエスト回復器であって、前記サウンディング回復メッセージは、前記省エネセルの基地局が受け得るサウンディングリソースを含む、サウンディングリクエスト回復器を含む、基地局。
【請求項３７】
請求項35に記載の基地局であって、さらに、
前記補償セルの基地局にサウンディングリクエストメッセージを送信するサウンディングリクエスト送信器であって、前記サウンディングリクエストメッセージは、前記省エネセルの基地局が受け得るサウンディングリソースを含む、サウンディングリクエスト送信器；及び
前記補償セルの基地局がフィードバックしたサウンディング回復メッセージを受信するサウンディングリクエストフィードバック器であって、前記サウンディング回復メッセージは、前記補償セルの基地局のサウンディング用のリソースを含む、サウンディングリクエストフィードバック器、を含む、基地局。
【請求項３８】
請求項33に記載の基地局であって、さらに、
前記補償セルの基地局が送信したインアクティービティー回復メッセージを受信するインアクティービティー回復受信器であって、前記インアクティービティー回復メッセージは、補償用のリソース情報を含む、インアクティービティー回復受信器；及び
前記インアクティービティー回復メッセージに基いて、前記省エネセルのユーザ装置を前記補償セルに切り換え、そして、前記省エネセルをクローズする補償処理器、を含む、基地局。
【請求項３９】
コンピュータ可読プログラムであって、
基地局において前記プログラムを実行する時に、前記プログラムは、コンピュータに、前記基地局において、請求項1乃至21の任意の１項に記載の方法を実行させる、プログラム。
【請求項４０】
コンピュータ可読プログラムを記録した記録媒体であって、
前記コンピュータ可読プログラムは、コンピュータに、基地局において、請求項1乃至21の任意の１項に記載の方法を実行させる、記録媒体。
【請求項４１】
コンピュータ可読プログラムであって、
ユーザ装置において前記プログラムを実行する時に、前記プログラムは、コンピュータに、前記ユーザ装置において、請求項22又は23に記載の方法を実行させる、プログラム。
【請求項４２】
コンピュータ可読プログラムを記録した記録媒体であって、
前記コンピュータ可読プログラムは、コンピュータに、ユーザ装置において、請求項22又は23に記載の方法を実行させる、記録媒体。
【発明の詳細な説明】
【技術分野】
【０００１】
本発明は、通信分野に関し、特に、ロード補償方法、ロード推定に用いる測定方法、基地局及びユーザ装置に関する。
【背景技術】
【０００２】
ネットワークのエネルギー節約は、今のところのLTE-A（LTE-A、Long  Term  Evolution-Advanced)システムの重要な研究課題になっている。そのうちの一つの研究シナリオは、ネットワーク中のセルを省エネセル及び補償セルに分け、これらの補償セル及び省エネセルが同じ周波数で稼働する。ネットワークのロードが軽い時に、一部又は全部の省エネセルをクローズし、補償セルの送信パワー（電力）を増加させることにより、これらの省エネセルのサービス領域をカバーすることができる。このシナリオでは、省エネセル及び補償セル間は、幾つかのシグナリングにより、互いのロード、容量などの情報を協議し、これによって、補償セルは、如何に省エネセルに補償を提供するかを決定する。
【０００３】
しかし、本発明の実現過程において、発明者は、従来技術の欠点は、補償セル及び省エネセルの基地局の間にシグナリングにより幾つかのロード情報のやり取りを行うが、これらのロード情報が、省エネセルから見えるロードであり、補償セルのどのくらいのバンド幅を占用するかを反映できないため、補償セルによりカバー領域の補償を提供するか、それとも、省エネセルにより継続してサービスを提供するかを決定することができないとのことにある。
【０００４】
なお、上述の技術背景に対しての紹介は、本発明の技術案を明確且つ完全に説明し、また、当業者がそれを容易に理解するためだけのものである。これらの案は、本発明の背景技術の部分に説明されているため、上述の技術案は当業者に周知であると思われてはいけない。
【発明の概要】
【発明が解決しようとする課題】
【０００５】
本発明の実施例は、ロード補償方法、ロード推定に用いる測定方法、基地局及びユーザ装置を提供し、その目的は、省エネセルのユーザ装置が補償セルにおいて要するリソース推定値を取得し、これによって、補償セルによりカバー領域の補償を提供するか、それとも、省エネセルにより継続してサービスを提供するかを決定することにある。
【課題を解決するための手段】
【０００６】
本発明の実施例の一側面によれば、補償セル及び省エネセルがジョイントしてサービスを提供する通信システムに用いるロード補償方法が提供され、前記方法は：
前記補償セルの基地局が、前記省エネセルのユーザ装置の測定した前記補償セルの信号品質に基いて、前記省エネセルのユーザ装置が前記補償セルにおいて要するリソース推定値を取得する推定値取得ステップ；
前記省エネセルのユーザ装置が前記補償セルにおいて要するリソース推定値に基いて、前記省エネセルに対して補償を行うかどうかを確定する補償確定ステップ；及び
前記省エネセルに対して補償を行うと確定した後に、関連するリソースのパワーを上げて、前記省エネセルに対して補償を行うロード補償ステップを含む。
【０００７】
本発明の実施例の他の側面によれば、補償セル及び省エネセルがジョイントしてサービスを提供する通信システムに用いるロード補償方法が提供され、前記方法は：
前記省エネセルの基地局が、前記省エネセルのユーザ装置の送信した、前記省エネセルのユーザ装置の測定した前記補償セルの信号品質を受信する信号値受信ステップ;及び
前記補償セルの基地局にインアクティービティー（inactivity）リクエストメッセージを送信し、これによって、前記補償セルの基地局が、前記インアクティービティーリクエストメッセージに基いて、前記省エネセルのユーザ装置が前記補償セルにおいて要するリソース推定値を取得するインアクティービティーリクエスト送信ステップを含む。
【０００８】
本発明の実施例の他の側面によれば、ロード推定に用いる測定方法が提供され、前記方法は、補償セル及び省エネセルがジョイントしてサービスを提供する通信システムに用い、前記方法は：
前記補償セルの基地局が、一つ又は複数のサブフレームの送信パワーを上げてサウンディングを行い、これによって、前記省エネセルのユーザ装置が、前記一つの又は複数のサブフレームに基いて、前記補償セルの信号品質を測定するサウンディング実現ステップを含む。
【０００９】
本発明の実施例の他の側面によれば、ロード推定に用いる測定方法が提供され、前記方法は、補償セル及び省エネセルがジョイントしてサービスを提供する通信システムに用い、前記方法は：
前記省エネセルのユーザ装置が、前記補償セルの基地局により送信パワーを上げた後の一つの又は複数のサブフレームに基いて、前記補償セルの信号品質を測定する信号測定ステップを含む。
【００１０】
本発明の実施例の他の側面によれは、補償セル及び省エネセルがジョイントしてサービスを提供する通信システムに用いる基地局が提供され、前記基地局は：
前記省エネセルのユーザ装置の測定した前記補償セルの信号品質に基いて、前記省エネセルのユーザ装置が前記補償セルにおいて要するリソース推定値を取得する推定値取得器；
前記省エネセルのユーザ装置が前記補償セルにおいて要するリソース推定値に基いて、前記省エネセルに対して補償を行うかどうかを確定する補償確定器；及び
前記補償確定器により、前記省エネセルに対して補償を行うと確定した後に、関連するリソースのパワーを上げて、前記省エネセルに対して補償を行うロード補償器を含む。
【００１１】
本発明の実施例の他の側面によれば、補償セル及び省エネセルがジョイントしてサービスを提供する通信システムに用いる基地局が提供され、前記基地局は：
前記省エネセルのユーザ装置が送信した、前記省エネセルのユーザ装置が測定した前記補償セルの信号品質を受信する信号値受信器；及び
前記補償セルの基地局にインアクティービティーリクエストメッセージを送信し、これによって、前記補償セルの基地局が、前記インアクティービティーリクエストメッセージに基いて、前記省エネセルのユーザ装置が前記補償セルにおいて要するリソース推定値を取得するインアクティービティーリクエスト送信器を含む。
【００１２】
本発明の実施例の他の側面によれば、補償セル及び省エネセルがジョイントしてサービスを提供する通信システムに用いる基地局が提供され、前記基地局は：
一つ又は複数のサブフレームの送信パワーを上げてサウンディングを行い、これによって、前記省エネセルのユーザ装置が前記一つの又は複数のサブフレームに基いて前記補償セルの信号品質を測定するサウンディング実現器を含む。
【００１３】
本発明の実施例の他の側面によれば、補償セル及び省エネセルがジョイントしてサービスを提供する通信システムに用いるユーザ装置が提供され、前記ユーザ装置は：
前記補償セルの基地局により送信パワーを上げた後の一つの又は複数のサブフレームに基いて、前記補償セルの信号品質を測定する信号測定器を含む。
【００１４】
本発明の実施例の他の側面によれば、コンピュータ可読プログラムが提供され、そのうち、ユーザ装置において前記プログラムを実行する時に、前記プログラムは、コンピュータに、前記ユーザ装置において前記方法を実行させる。
【００１５】
本発明の実施例の他の側面によれば、コンピュータ可読プログラムを記録した記録媒体が提供され、そのうち、前記コンピュータ可読プログラムは、コンピュータに、ユーザ装置において前記方法を実行させる。
【００１６】
本発明の実施例の他の側面によれば、コンピュータ可読プログラムが提供され、そのうち、基地局において前記プログラムを実行する時に、前記プログラムは、コンピュータに、前記基地局において前記方法を実行させる。
【００１７】
本発明の実施例の他の側面によれば、コンピュータ可読プログラムを記録した記録媒体が提供され、そのうち、前記コンピュータ可読プログラムは、コンピュータに、基地局において前記方法を実行させる。
【００１８】
本発明の実施例の有益な効果は、補償セルの基地局が、省エネセルのユーザ装置の補償セルにおいて要するリソース推定値に基いて、省エネセルに対して補償を行うかどうかを確定し、省エネセルのユーザ装置が占用する補償セルのリソースを反映でき、これによって、ロード補償の正確性を向上させることができるとのことにある。
【００１９】
後述の説明及び図面を参照することによって、本発明の特定の実施形態を詳細に開示し、本発明の原理を採用し得る方式を明確にしている。なお、本発明の実施形態は、範囲上ではそれらに限定されない。添付した特許請求の範囲における精神及び技術的範囲内では、本発明の実施形態は、あらゆる変更、変形及び代替によるものをも含む。
【００２０】
一つの実施形態について説明した及び/又は示した特徴は、同じ又は類似する方式で一つ又は複数の他の実施形態に用い、及び、他の実施形態中の特徴と組み合わせ、又は、他の実施形態中の特徴を置換することができる。
【００２１】
なお、"包括/含む（有する）"のような語は、本文に用いる時に、特徴、装置（全体）、ステップ又はアセンブリの存在を指すが、一つ又は複数の他の特徴、装置（全体）、ステップ又はアセンブリの存在又は付加を排除しないとのことをも指す。
【図面の簡単な説明】
【００２２】
次の図面に基づく本発明の実施例につての説明を参照することにより、本発明の以上及び他の目の、特徴及びび利点をより容易に理解することができる。なお、図面中の部品は、比例して描かれたものではなく、本発明の原理を示すためだけのものである。また、本発明の一部を容易に説明する又は示すために、図面中の対応する部分を拡大することがある。
【００２３】
本発明の一つの図面又は一つの実施形態に記載の要素及び特徴は、一つ又は複数の他の図面又は実施形態に示す要素及び特徴と結合されても良い。また、図面中で、類似する符号は、幾つかの図面に対応する部品を表し、また、一つ以上の実施形態に用いる対応する部品を表すために用いられても良い。
【図１】本発明の実施例1におけるロード補償方法のフローチャートである。
【図２】本発明の実施例1におけるロード補償方法のシグナリングを示す図である。
【図３】本発明の実施例1におけるロード補償方法の他のシグナリングを示す図である。
【図４】本発明の実施例1においてサブフレーム全体の送信パワーを上げることを示す図である。
【図５】本発明の実施例1においてサブフレームの一部のリソースの送信パワーを上げることを示す図である。
【図６】本発明の実施例1におけるサウンディングのシグナリングを示す図である。
【図７】本発明の実施例1におけるサウンディングの他のシグナリングを示す図である。
【図８】本発明の実施例1における基地局の構成図である。
【図９】本発明の実施例1における基地局の他の構成図である。
【図１０】本発明の実施例2におけるロード補償方法のフローチャートである。
【図１１】本発明の実施例2における基地局の構成図である。
【図１２】本発明の実施例2における基地局の他の構成意である。
【図１３】本発明の実施例3おけるロード推定用測定方法のフローチャートである。
【図１４】本発明の実施例3における基地局の他の構成図である。
【図１５】本発明の実施例3におけるロード推定用測定方法の他のフローチャートである。
【図１６】本発明の実施例3におけるユーザ装置の構成図である。
【発明を実施するための形態】
【００２４】
図面に基づく次の説明を参照することによって、本発明の上述及び他の特徴がより明確になる。明細書及び図面では、本発明の特定の実施形態を具体的に開示し、それは、そのうち、本発明の原則を採用し得る一部の実施形態を示するが、本発明は、開示されている実施形態に限定されず、本発明は、添付した特許請求の範囲内における全ての変更、変形、及び代替によるものをも含む。
【実施例１】
【００２５】
本発明の実施例は、補償セル及び省エネセルがジョイントしてサービスを提供する通信システムに用いるロード補償方法を提供する。以下、補償セルの基地局側において前記方法について詳細に説明する。
【００２６】
図1は、本発明の実施例におけるロード補償方法のフローチャートであり、図1に示すように、前記方法は：
ステップ101：補償セルの基地局が省エネセルのユーザ装置の測定した補償セルの信号品質に基いて、省エネセルのユーザ装置の補償セルにおいて要するリソース推定値を取得し；
ステップ102：補償セルの基地局が、省エネセルのユーザ装置の補償セルにおいて要するリソース推定値に基いて、省エネセルに対して補償を行うかどうかを確定し；
ステップ103：補償セルの基地局が、省エネセルに対して補償を行うと確定した後に、関連するリソースのパワーを上げて省エネセルに対して補償を行う。
【００２７】
本実施例では、ステップ102の補償確定ステップにより、省エネセルに対して補償を行うと確定した後に、前記方法は、さらに、インアクティービティー回復ステップを含んでもよく、即ち、省エネセルの基地局にインアクティービティー回復メッセージを送信し、該インアクティービティー回復メッセージは、補償用のリソース情報を含む。
【００２８】
よって、省エネセルの基地局は、インアクティービティー回復メッセージに基いて、省エネセルのユーザ装置を補償セルに切り替え、そして、省エネセルをクローズすることができる。省エネセルのユーザ装置が補償セルにおいて要するリソース推定値に基いて、省エネセルに対して補償を行うかどうかを確定し、占用する補償セルのリソースを反映することができるため、ロード補償の正確性を向上させることができる。
【００２９】
一つの実施例では、ステップ101の実施時に、補償セルの基地局は、省エネセルの基地局から送信されたインアクティービティーリクエストメッセージを受信してもよく、該インアクティービティーリクエストメッセージは、省エネセルのユーザ装置が測定した補償セルの信号品質を含み、補償セルの基地局は、該省エネセルのユーザ装置が測定した補償セルの信号品質に基いて、リソース推定値を推定により取得する。
【００３０】
具体的には、省エネセルのユーザ装置は、補償セルの信号品質を測定し、該補償セルの信号品質を省エネセルの基地局に送信しても良い。なお、如何に補償セルの信号品質を測定するかについては、本発明の後述のロード推定に用いる測定方法を採用することができるが、これに限定されず、実際の状況に応じて他の測定方法を採用しても良い。
【００３１】
その後、省エネセルの基地局は、補償セルの基地局にインアクティービティーリクエストメッセージを送信してもよく、該インアクティービティーリクエストメッセージは、省エネセルのユーザ装置が測定した補償セルの信号品質を含む。補償セルの基地局は、該インアクティービティーリクエストメッセージ受信した後に、該省エネセルのユーザ装置が測定した補償セルの信号品質に基いて、ロード推定を行ってリソース推定値を取得する。
【００３２】
具体的な実施に当たって、一つの実施例では、補償セルの基地局は、次の式を採用して省エネセルの各ユーザ装置に対してロード推定を行ってもよい。
【００３３】
BWESlog2(l+SINRES)=BWCPlog2(l+SINRCP)
そのうち、BWESは、省エネセルのユーザ装置が省エネセルにおいて占用するリソースを示し、BWCPは、省エネセルのユーザ装置が補償セルにおいて占用するリソースを示し、SINRESは、省エネセルのユーザ装置が測定した省エネセルの信号品質を示し、SINRCPは、省エネセルのユーザ装置が測定した補償セルの信号品質を示す。
【００３４】
具体的な実施に当たって、BWES及びSINRESは、従来技術を採用することにより取得し得る。よって、SINRCPを得た場合、BWCPを計算することができ、これによって、省エネセルのユーザ装置が補償セルにおいて要するリソース推定値を取得する。
【００３５】
さらに、省エネセルの全てのユーザのリソース推定値の和を求め、これによって、省エネセルの全てのユーザが占用する補償セルの総リソース推定値を得ることができ、そして、該総リソース推定値に基いて、省エネセルに対して補償を行うかどうかを確定する。
【００３６】
他の実施例では、リソース推定は、具体的に、省エネセルのユーザ装置が測定した補償セルの信号品質に基いて、ユーザ装置が補償セルにおいて採用する必要のある変調符号化方式を推定し、そして、該変調符号化方式に基いて、補償セルにおいて占用するリソースを推定することを含む。
【００３７】
具体的な実施に当たって、ユーザ装置が補償セルにおいて採用する必要のある変調符号化方式を推定した後に、各ユーザ装置のサービス状況に基いて、補償セルにおいて占用する必要のあるリソースを推定してもよい。なお、如何に変調符号化方式を推定するかなどの具体的な実現は、従来技術を採用してもよいので、ここでは、その詳しい説明を省略する。
【００３８】
また、該インアクティービティーリクエストメッセージは、さらに、省エネセルの現在のエネルギー消耗及び省エネセルのユーザのQoS情報などを含んでも良い。そのうち、省エネセルの現在のエネルギー消耗は、例えば、ビット毎に消耗したエネルギーであってもよく、該ビットは、応用層のビットであってよく、物理層のビットであってよく、省エネセルのユーザのQoS情報は、例えば、各ユーザのサービス類型、QoS要求などであってもい。よって、これらの情報により、補償セルの基地局は、さらに、どの関連するリソースのパワーを上げて省エネセルに対して補償を行うかを確定することができ、これによって、補償のパフォーマンス及び正確性をより一層向上させることができる。
【００３９】
図2は、本発明の実施例におけるロード補償方法のシグナリングを示す図である。図2に示すように、まず、補償セルの基地局は、省エネセルの基地局から送信されたインアクティービティーリクエストメッセージを受信し、該インアクティービティーリクエストメッセージは、省エネセルのユーザ装置が測定した補償セルの信号品質を含み、オプションンで、更に、省エネセルの現在のエネルギー消耗及び省エネセルのユーザのQoS情報などを含んでもよく、補償セルの基地局は、該メッセージ中の省エネセルのユーザ装置が測定した補償セルの信号品質に基いて、省エネセルのユーザ装置が補償セルにおいて要するリソース推定値を推定することができる。
【００４０】
次に、補償セルの基地局は、該省エネセルのユーザ装置が補償セルにおいて要するリソース推定値、並びに、省エネセルの現在のエネルギー消耗及び省エネセルのユーザのQoS情報などに基いて、省エネセルに対して補償を行うかどうかを確定することができる。
【００４１】
その後、補償セルの基地局は、省エネセルに対して補償を行うと確定した後に、省エネセルの基地局にインアクティービティー回復メッセージを送信してもよく、これによって、省エネセルは、該インアクティービティー回復メッセージに基いて、そのサービングするユーザ装置を補償セルに切り替え、且つ、補償セルの基地局は、関連するリソースのパワーを上げて省エネセルに対して補償を行うことができる。
【００４２】
他の実施例では、ステップ101の実施時に、補償セルの基地局は、省エネセルの基地局から送信されたインアクティービティーリクエストメッセージを受信してもよく、該インアクティービティーリクエストメッセージは、リソース推定値を含み、該リソース推定値は、省エネセルの基地局が省エネセルのユーザ装置の測定した補償セルの信号品質に基いて推定により得るものである。
【００４３】
具体的には、該リソース推定値は、省エネセルの基地局が推定により得ることができ、また、上述の２種類のリソース推定方法を採用することができるので、ここでは、その詳しい説明を省略する。
【００４４】
図3は、本発明に実施例におけるロード補償方法の他のシグナリングを示す図である。図3に示すように、まず、補償セルの基地局は、省エネセルの基地局から送信されたインアクティービティーリクエストメッセージを受信し、該インアクティービティーリクエストメッセージは、省エネセルのユーザ装置が補償セルにおいて要するリソース推定値を含み、オプションで、更に、省エネセルの現在のエネルギー消耗及び省エネセルのユーザのQoS情報などを含んでも良い。
【００４５】
次に、補償セルの基地局は、該省エネセルのユーザ装置が補償セルにおいて要するリソース推定値、並びに、省エネセルの現在のエネルギー消耗及び省エネセルのユーザのQoS情報などに基いて、省エネセルに対して補償を行うかどうかを確定することができる。
【００４６】
その後、補償セルの基地局は、省エネセルに対して補償を行うと確定した後に、省エネセルの基地局に、インアクティービティー回復メッセージを送信してもよく、これによって、省エネセルは、該インアクティービティー回復メッセージに基いて、そのサービングするユーザ装置を補償セルに切り換え、且つ、補償セルの基地局は、関連するリソースのパワーを上げて省エネセルに対して補償を行うことができる。
【００４７】
以上、如何にロード補償を行うかについて詳細に説明した。そのうち、省エネセルの現在のエネルギー消耗及び省エネセルのユーザのQoS情報などは、ただのオプションの情報であり、必ず要するものでない。具体的な実施に当たって、さらに、実際の状況応じて、より多くの情報を採用して補償の確定を行ってもよく、これによって、その確定をより正確にさせることができる。なお、ロードに対しての推定は、補償セルの基地局側で行ってもよく、省エネセルの基地局側で行っても良い。
【００４８】
以下、如何にロード推定に用いる測定を行うかについて詳細に説明する。
【００４９】
本実施例では、ステップ101の推定値取得ステップの前に、前記方法は、さらに、サウンディング実現ステップを含んでもよく、即ち、補償セルの基地局は、一つ又は複数のサブフレームの送信パワーを上げてサウンディングを行い、これによって、省エネセルのユーザ装置は、一つ又は複数のサブフレームに基いて、補償セルの信号品質を測定する。具体的な実施に当たって、補償セルの基地局は、一つ又は複数のサブフレームのサブフレーム全体の送信パワーを上げてもよく、又は、一つの又は複数のサブフレーム中の一部のリソースの送信パワーを上げても良い。
【００５０】
図4は、本発明の実施例においてサブフレーム全体の送信パワーを上げることを示す図である。図5は、本発明の実施例においてサブフレーム中の一部のリソースの送信パワーのを上げることを示す図である。図4及び図5に示すように、補償セルの基地局の自身のリソースに基いてスケジューリングを行い、これらの高いパワーのサブフレームは、周期性のものであってもよく、非周期性のものであってもよく、又は、連続したものであっても良い。しかし、これに限定されず、実際の状況に応じて具体的な実施形態を確定してもよい。
【００５１】
具体的な実施に当たって、省エネセルの基地局は、選択的に、これらのサブフレームにおいてユーザ装置をスケジューリングすることを避けることができ、また、これらのサブフレームにおいて測定を行うことを構成することができ、これによって、そのサービングするユーザ装置は、補償セルの信号品質、例えば、信号対干渉雑音電力比（SINR)、参照信号受信品質(RSRQ)などを推定することができる。
【００５２】
省エネセルのユーザ装置は、測定結果を得た後に、測定結果を省エネセルの基地局に送信する。省エネセルの基地局はロード推定を行ってもよく、又は、補償セルの基地局はロード推定を行ってもよく、これは、上述のようであるので、ここでは、その詳しい説明を省略する。
【００５３】
基地局のサウンディング機能をよりよく設定するために、補償セルの基地局及び省エネセルの基地局の間にシグナリングの交互を行ってもよく、補償セルの基地局により、省エネセルの基地局に、どのサブフレームのパワーを上げてロード推定を行うかを通知することができる。
【００５４】
具体的な実施に当たって、一つの実施例では、シグナリングのフローは、省エネセルの基地局が発起しても良い。補償セルの基地局は、省エネセルの基地局から送信されたサウンディングリクエストメッセージを受信し、該サウンディングリクエストメッセージは、省エネセルの基地局が受け得るサウンディングリソースを含み、補償セルの基地局がサウンディング回復メッセージを省エネセルの基地局にフィードバックし、該サウンディング回復メッセージは、補償セルの基地局のサウンディングのためのリソースを含む。
【００５５】
図6は、本発明の実施例におけるサウンディングのシグナリングを示す図である。図6に示すように、まず、省エネセルの基地局は、補償セルの基地局に一つのサウンディングリクエストメッセージを送信し、このサウンディングリクエストは、オプションんで、受け得るサウンディング用のリソース、例えば、省エネセルに使用されていないリソースを含んでも良い。次に、補償セルの基地局は、このリクエストメッセージを受信した後に、一つのサウンディング回復メッセージをフィードバックしてもよく、このメッセージは、補償セル中のサウンディング用のリソースを指示し、オプションで、サウンディング時間及びサウンディング開始の時間遅延を含む。
【００５６】
そのうち、該サウンディング時間は、サウンディングの持続時間を示すことができ、該サウンディング開始の時間遅延は、補償セルがパワーを上げること、及び、省エネセルのユーザ装置が測定し始まることが同時に行えるように保証するために用いられる。
【００５７】
具体的な実施に当たって、他の実施例では、シグナリングのフローは、補償セルの基地局が発起してもよい。補償セルの基地局は、省エネセルの基地局にサウンディングリクエストメッセージを送信し、該サウンディングリクエストメッセージは、補償セルの基地局のサウンディング用のリソースを含み、補償セルの基地局は、省エネセルの基地局がフィードバックしたサウンディング回復メッセージを受信し、該サウンディング回復メッセージは、省エネセルの基地局が受け得るサウンディングリソースを含む。
【００５８】
図7は、本発明の実施例におけるサウンディングの他のシグナリングを示す図である。図7に示すように、まず、補償セルの基地局は、省エネセルの基地局に一つのサウンディングリクエストメッセージを送信し、このリクエストは、補償セル中のサウンディング用のリソースを示すことができる。その後、省エネセルは一つのサウンディング回復メッセージをフィードバックすることができ、この回復メッセージは、受け得る補償セルの採用するサウンディングリソースを示すことができ、オプションで、サウンディング時間及びサウンディング開始の時間遅延を含む。
【００５９】
以上は、基地局のサウンディング・シグナリングに対しての説明だけであり、しかし、これに限定されず、例えば、サウンディングリクエスト回復メッセージを使用せず、サウンディングリクエストメッセージに含まれているサウンディングリソース情報からサウンディングリソースを直接決定してもよく、又は、シグナリングを使用せずにサウンディングの交互を行ってもよく、又は、予め所定の時間又はリソースなどを設定してもよく、又は、実際の状況応じて具体的な実施形態を確定しても良い。
【００６０】
本発明の実施例は、さらに、補償セル及び省エネセルがジョイントしてサービスを提供する通信システムに用いる補償セルの基地局を提供する。図8は、本発明の実施例における基地局の構成図であり、図8に示すように、該補償セルの基地局は、推定値取得器801、補償確定器802、及びロード補償器803を含む。
【００６１】
そのうち、推定値取得器801は、省エネセルのユーザ装置が測定した補償セルの信号品質に基いて、省エネセルのユーザ装置が補償セルにおいて要するリソース推定値を得るために用いられ、補償確定器802は、省エネセルのユーザ装置が補償セルにおいて要するリソース推定値に基いて、省エネセルに対して補償を行うかどうかを確定するために用いられ、ロード補償器803は、補償確定器802が、省エネセルに対して補償を行うと確定した後に、関連するリソースのパワーを上げてエネセルに対して補償を行うために用いられる。
【００６２】
一実施例では、推定値取得器801は、具体的に、インアクティービティーリクエスト受信器を含んでも良い。該インアクティービティーリクエスト受信器は、省エネセルの基地局が送信したインアクティービティーリクエストメッセージを受信するために用いられ、該インアクティービティーリクエストメッセージは、リソース推定値を含み、該リソース推定値は、省エネセルの基地局が省エネセルのユーザ装置の測定した補償セルの信号品質に基いて推定により得たものである。
【００６３】
他の実施例では、推定値取得器801は、具体的に、インアクティービティーリクエスト受信器及びリソース推定器を含んでもよい。そのうち、インアクティービティーリクエスト受信器は、省エネセルの基地局が送信したインアクティービティーリクエストメッセージを受信するために用いられ、該インアクティービティーリクエストメッセージは、省エネセルのユーザ装置の測定した補償セルの信号品質を含み、リソース推定器は、省エネセルのユーザ装置が測定した補償セルの信号品質に基いて、リソース推定値を推定により得得るために用いられる。
【００６４】
具体的な実施に当たって、一つの実施例では、リソース推定器は、具体的に、次の式を採用して、省エネセルの各ユーザ装置に対してロード推定を行っても良い。
【００６５】
BWESlog2(l+SINRES)=BWCPlog2(l+SINRCP)
そのうち、BWESは、省エネセルのユーザ装置が省エネセルにおいて占用するリソースを示し、BWCPは、省エネセルのユーザ装置が補償セルにおいて占用するリソースを示し、SINRESは、省エネセルのユーザ装置が測定した省エネセルの信号品質を示し、SINRCPは、省エネセルのユーザ装置が測定した補償セルの信号品質を示す。
【００６６】
具体的な実施に当たって、他の実施例では、リソース推定器は、具体的に、省エネセルのユーザ装置が測定した補償セルの信号品質に基いて、ユーザ装置が補償セルにおいて採用する必要のある変調符号化方式を推定し、そして、該変調符号化方式に基いて、補償セルにおいて占用する必要のあるリソースを推定する。
【００６７】
図9は、本発明の実施例における基地局の他の構成図であり、図9に示すように、該補償セルの基地局は、推定値取得器901、補償確定器902、及びロード補償器903を含み、上述のようである。
【００６８】
図9に示すうに、基地局は、更に、サウンディング実現器904を含んでも良い。サウンディング実現器904は、一つ又は複数のサブフレームの送信パワーを上げてサウンディングを行うために用いられ、これにより、省エネセルのユーザ装置は、該一つ又は複数のサブフレームに基いて補償セルの信号品質を測定する。
【００６９】
一つの実施例では、基地局は、更に、サウンディングリクエスト受信器及びサウンディングリクエスト回復器（図示せず）を含んでも良い。そのうち、サウンディングリクエスト受信器は、省エネセルの基地局が送信したサウンディングリクエストメッセージを受信するために用いられ、該サウンディングリクエストメッセージは、省エネセルの基地局が受け得るサウンディングリソースを含み、サウンディングリクエスト回復器は、サウンディング回復メッセージを省エネセルの基地局にフィードバックするために用いられ、該サウンディング回復メッセージは、補償セルの基地局のサウンディング用のリソースを含む。
【００７０】
他の実施例では、基地局は、さらに、サウンディングリクエスト送信器及びサウンディングリクエストフィードバック器（図示せず）を含んでもよい。そのうち、サウンディングリクエスト送信器は、省エネセルの基地局にサウンディングリクエストメッセージを送信するためのものであり、該サウンディングリクエストメッセージは、補償セルの基地局のサウンディング用のリソースを含み、サウンディングリクエストフィードバック器は、省エネセルの基地局がフィードバックしたサウンディング回復メッセージを受信するためのものであり、該サウンディング回復メッセージは、省エネセルの基地局が受け得るサウンディングリソースを含む。
【００７１】
図9に示すように、基地局は、さらに、インアクティービティー回復器905を含んでもよい。インアクティービティー回復器905は、補償確定器902が省エネセルに対して補償を行うと確定した後に、省エネセルの基地局に、インアクティービティー回復メッセージを送信するために用いられ、該インアクティービティー回復メッセージは、補償用のリソース情報を含む。
【００７２】
上述の実施例から分かるように、補償セルの基地局は、省エネセルのユーザ装置が補償セルにおいて要するリソース推定値に基いて、省エネセルに対して補償を行うかどうかを確定し、占用する補償セルのリソースを反映することができ、これによって、ロード補償の正確性を向上させることができる。
【実施例２】
【００７３】
本発明の実施例は、補償セル及び省エネセルがジョイントしてサービスを提供する通信システムに用いるロード補償方法を提供する。以下、省エネセルの基地局側において前記方法について詳細に説明する。そのうち、実施例1における補償セルの基地局側と同じ部分についての説明を省略する。
【００７４】
図10は、本発明の実施例におけるロード補償方法の他のフローチャートであり、図10に示すように、前記方法は：
ステップ1001：省エネセルの基地局が、省エネセルのユーザ装置から送信された、該省エネセルのユーザ装置の測定した補償セルの信号品質を受信し；
ステップ1002：省エネセルの基地局が、補償セルの基地局にインアクティービティーリクエストメッセージを送信し、これによって、補償セルの基地局が、該インアクティービティーリクエストメッセージに基いて、省エネセルのユーザ装置の補償セルにおいて要するリソース推定値を得る。
【００７５】
一つの実施例では、該インアクティービティーリクエストメッセージは、省エネセルのユーザ装置が測定した補償セルの信号品質を含む。よって、補償セルの基地局は、該補償セルの信号品質に基いて、省エネセルのユーザ装置が補償セルにおいて要するリソース推定値を推定することができる。
【００７６】
他の実施例では、該インアクティービティーリクエストメッセージは、省エネセルのユーザ装置が補償セルにおいて要するリソース推定値を含む。また、ステップ1001の後に、且つ、ステップ1002のインアクティービティーリクエスト送信ステップの前に、前記方法は、さらに、リソース推定ステップを含み、即ち、省エネセルの基地局は、省エネセルのユーザ装置が測定した補償セルの信号品質に基いて、リソース推定値を推定により取得する。
【００７７】
具体的な実施に当たった、一つの実施例では、リソース推定ステップは、具体的に、次の式を採用して、省エネセルの各ユーザ装置が占用する補償セルのリソース推定値を推定により取得してもよい。
【００７８】
BWESlog2(l+SINRES)=BWCPlog2(l+SINRCP)
そのうち、BWESは、省エネセルのユーザ装置が省エネセルにおいて占用するリソースを示し、BWCPは、省エネセルのユーザ装置が補償セルにおいて占用するリソースを示し、SINRESは、省エネセルのユーザ装置が測定した省エネセルの信号品質を示し、SINRCPは、省エネセルのユーザ装置が測定した補償セルの信号品質を示す。
【００７９】
さらに、省エネセルの各ユーザが補償セルにおけるリソース推定値を取得した後に、省エネセルの全てのユーザが占用する補償セルのリソース推定値を算出することができる。和を求める方式又は加重平均などの方式で処理を行ってもよいが、これに限定されず、実際の状況に応じて具体的な処理方式を確定しても良い。
【００８０】
具体的な実施に当たって、他の実施例では、リソース推定ステップは、具体的に、省エネセルのユーザ装置が測定した補償セルの信号品質に基いて、ユーザ装置が補償セルにおいて採用する必要のある変調符号化方式を推定し、そして、該変調符号化方式に基いて、補償セルにおいて占用する必要のあるリソースを推定する。
【００８１】
本実施例では、ステップ1001の信号値受信ステップの前に、前記方法は、さらに、サウンディング構成ステップを含んでもよく、即ち、省エネセルの基地局は、補償セルの基地局により送信パワーが上げられた後の一つ又は複数のサブフレームにおいて構成を行い、これによって、省エネセルのユーザ装置は、該一つ又は複数のサブフレームに基いて、補償セルの信号品質を測定する。
【００８２】
一つの実施例では、サウンディング構成ステップの前に、前記方法は、さらに、次のステップを含んでも良い。
【００８３】
サウンディングリクエスト受信ステップ：省エネセルの基地局は、補償セルの基地局が送信したサウンディングリクエストメッセージを受信し、該サウンディングリクエストメッセージは、補償セルの基地局のサウンディング用のリソースを含み；
サウンディングリクエスト回復ステップ：省エネセルの基地局は、サウンディング回復メッセージを該補償セルの基地局にフィードバックし、前記サウンディング回復メッセージは、前記省エネセルの基地局が受け得るサウンディングリソースを含む。
【００８４】
他の実施例では、サウンディング構成ステップの前に、前記方法は、さらに、次のステップを含んでも良い。
【００８５】
サウンディングリクエスト送信ステップ：省エネセルの基地局は、補償セルの基地局にサウンディングリクエストメッセージを送信し、該サウンディングリクエストメッセージは、省エネセルの基地局が受け得るサウンディングリソースを含み；
サウンディングリクエストフィードバックステップ：補償セルの基地局からフィードバックされたサウンディング回復メッセージを受信し、該サウンディング回復メッセージは、補償セルの基地局のサウンディング用のリソースを含む。
【００８６】
本実施例では、ステップ1002のインアクティービティーリクエスト送信ステップの後に、前記方法は、さらに、次のステップを含んでも良い。
【００８７】
インアクティービティー回復受信ステップ：省エネセルの基地局は、補償セルの基地局が送信したインアクティービティー回復メッセージを受信し、該インアクティービティー回復メッセージは、補償用のリソース情報を含み；
補償処理ステップ：省エネセルの基地局は、インアクティービティー回復メッセージに基いて、省エネセルのユーザ装置を補償セルに切り換え、そして、省エネセルをクローズする。
【００８８】
本発明の実施例は、さらに、補償セル及び省エネセルがジョイントしてサービスを提供する通信システムに用いる省エネセルの基地局を提供する。図11は、本発明の実施例における基地局の構成図であり、図11に示すように、該省エネセルの基地局は、信号値受信器1101及びインアクティービティーリクエスト送信器1102を含む。
【００８９】
そのうち、信号値受信器1101は、省エネセルのユーザ装置が送信した、該省エネセルのユーザ装置が測定した補償セルの信号品質を受信するために用いられ、インアクティービティーリクエスト送信器1102は、補償セルの基地局にインアクティービティーリクエストメッセージを送信するために用いられ、これによって、補償セルの基地局は、該インアクティービティーリクエストメッセージに基いて、省エネセルのユーザ装置が補償セルにおいて要するリソース推定値を取得する。
【００９０】
図12は、本発明の実施例における基地局の他の構成図であり、図12に示すように、該省エネセルの基地局は、信号値受信器1201及びインアクティービティーリクエスト送信器1202を含み、上述のようである。
【００９１】
図12に示すように、前記基地局は、さらに、リソース推定器1203を含んでも良い。リソース推定器1203は、省エネセルのユーザ装置が測定した補償セルの信号品質に基いて、リソース推定値を推定により取得する。
【００９２】
図12に示すよう、前記基地局は、さらに、サウンディング構成器1204を含んでもよい。サウンディング構成器1204は、補償セルの基地局により送信パワーが上げられた後の一つ又は複数のサブフレームにおいて構成を行い、これによって、省エネセルのユーザ装置は、一つ又は複数のサブフレームに基いて、補償セルの信号品質測定する。
【００９３】
一つの実施例では、前記基地局は、さらに、サウンディングリクエスト受信器及びサウンディングリクエスト回復器（図示せず）を含んでもよい。そのうち、サウンディングリクエスト受信器は、補償セルの基地局が送信したサウンディングリクエストメッセージを受信するために用いられ、該サウンディングリクエストメッセージは、補償セルの基地局のサウンディング用のリソースを含み、サウンディングリクエスト回復器は、サウンディング回復メッセージを補償セルの基地局にフィードバックするために用いられ、該サウンディング回復メッセージは、省エネセルの基地局が受け得るサウンディングリソースを含む。
【００９４】
他の実施例では、前記基地局は、さらに、サウンディングリクエスト送信器及びサウンディングリクエストフィードバック器（図示せず）を含んでも良い。そのうち、サウンディングリクエスト送信器は、補償セルの基地局にサウンディングリクエストメッセージを送信するために用いられ、該サウンディングリクエストメッセージは、省エネセルの基地局が受け得るサウンディングリソースを含み、サウンディングリクエストフィードバック器は、補償セルの基地局がフィードバックしたサウンディング回復メッセージを受信するために用いられ、該サウンディング回復メッセージは、補償セルの基地局のサウンディング用のリソースを含む。
【００９５】
図12に示すように、前記基地局は、さらに、インアクティービティー回復受信器1205及び補償処理器1206を含んでもよい。そのうち、インアクティービティー回復受信器1205は、補償セルの基地局が送信したインアクティービティー回復メッセージを受信するために用いられ、該インアクティービティー回復メッセージは、補償用のリソース情報を含み、補償処理器1206は、インアクティービティー回復メッセージに基いて、省エネセルのユーザ装置を補償セルに切り換え、そして、省エネセルをクローズするために用いられる。
【００９６】
上述の実施例から分かるように、補償セルの基地局は、省エネセルのユーザ装置が補償セルにおいて要するリソース推定値に基いて、省エネセルに対して補償を行うかどうかを確定し、占用する補償セルのリソースを反映することができ、これによって、ロード補償の正確性を向上させることができる。
【実施例３】
【００９７】
本発明の実施例は、ロード推定に用いる測定方法を提供し、該方法は、補償セル及び省エネセルがジョイントしてサービスを提供する通信システムに用いる。そのうち、実施例1又は2と同じ部分については、ここでは、その詳しい説明を省略する。
【００９８】
補償セルの基地局側：
図13は、本発明の実施例におけるロード推定に用いる測定方法のフローチャートであり、図13に示すように、前記方法は、次のステップを含む。
【００９９】
ステップ1301：補償セルの基地局は、一つ又は複数のサブフレームの送信パワーを上げてサウンディングを行い、これによって、省エネセルのユーザ装置は、該一つ又は複数のサブフレームに基いて、補償セルの信号品質を測定する。
【０１００】
そのうち、補償セルの基地局は、一つ又は複数のサブフレームのサブフレーム全体の送信パワーを上げてもよく、又は、一つ又は複数のサブフレーム中の一部のリソースの送信パワーを上げても良い。
【０１０１】
省エネセルのユーザ装置側：
図14は、本発明の実施例におけるロード推定に用いる測定方法の他のフローチャートであり、図14に示すように、前記方法は、次のステップを含んでも良い。
【０１０２】
ステップ1401：省エネセルのユーザ装置は、補償セルの基地局により送信パワーが上げられた後の一つ又は複数のサブフレームに基いて、補償セルの信号品質を測定する。
【０１０３】
図14に示すように、ステップ1401の信号測定ステップの後に、前記方法は、さらに、次のステップを含んでも良い。
【０１０４】
ステップ1402：省エネセルのユーザ装置は、省エネセルの基地局に、その測定した補償セルの信号品質を送信する。
【０１０５】
本発明の実施例は、さらに、補償セル及び省エネセルがジョイントしてサービスを提供する通信システムに用いる基地局を提供する。図15は、本発明の実施例における基地局の構成図であり、図15に示すように、前記基地局は、サウンディング実現器1501を含む。
【０１０６】
サウンディング実現器1501は、一つ又は複数のサブフレームの送信パワーを上げてサウンディングを行い、これによって、省エネセルのユーザ装置は、該一つ又は複数のサブフレームに基いて、補償セルの信号品質を測定する。
【０１０７】
本発明の実施例は、さらに、補償セル及び省エネセルがジョイントしてサービを提供する通信システムに用いるユーザ装置を提供する。図16は、本発明の実施例におけるユーザ装置の構成図であり、図16に示すように、前記ユーザ装置は、信号測定器1601を含む。
【０１０８】
そのうち、信号測定器1601は、補償セルの基地局により送信パワーが上げられた後の一つ又は複数のサブフレームに基いて、補償セルの信号品質を測定する。
【０１０９】
図16に示すように、前記ユーザ装置は、さらに、信号値送信器1602を含んでも良い。信号値送信器1602は、省エネセルの基地局に、その測定した補償セルの信号品質を送信するために用いられる。
【０１１０】
上述の実施例から分かるように、省エネセルのユーザ装置が補償セルにおいて要するリソース推定値に基いて、省エネセルに対して補償を行うかどうかを確定し、占用する補償セルのリソースを反映することができ、これによって、ロード補償の正確性を向上させることができる。
【０１１１】
本発明の実施例は、さらに、コンピュータ可読プログラムを提供し、そのうち、ユーザ装置において前記プログラムを実行する時に、前記プログラムは、コンピュータに、前記ユーザ装置において、上述の方法を実行させる。
【０１１２】
本発明の実施例は、さらに、コンピュータ可読プログラムを記録した記録媒体を提供し、そのうち、前記コンピュータ可読プログラムは、コンピュータに、ユーザ装置において、上述の方法を実行させる。
【０１１３】
本発明の実施例は、さらに、コンピュータ可読プログラムを提供し、そのうち、基地局において前記プログラムを実行する時に、前記プログラムは、コンピュータに、前記基地局において、上述の方法を実行させる。
【０１１４】
本発明の実施例は、さらに、コンピュータ可読プログラムを記録した記録媒体を提供し、そのうち、前記コンピュータ可読プログラムは、コンピュータに、基地局において上述の方法を実行させる。
【０１１５】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。本発明は、さらに、上述のプログラムを記録している記憶媒体、例えば、ハードディスク、磁気ディスク、光ディスク、DVD、flashメモリなどにも関する。
【０１１６】
以上、本発明の好ましい実施形態を説明したが、本発明はこの実施形態に限定されず、本発明の趣旨を離脱しない限り、本発明に対するあらゆる変更は本発明の技術の範囲に属する。
【図１】
2014522160.tif 000003
【図２】
2014522160.tif 000004
【図３】
2014522160.tif 000005
【図４】
2014522160.tif 000006
【図５】
2014522160.tif 000007
【図６】
2014522160.tif 000008
【図７】
2014522160.tif 000009
【図８】
2014522160.tif 000010
【図９】
2014522160.tif 000011
【図１０】
2014522160.tif 000012
【図１１】
2014522160.tif 000013
【図１２】
2014522160.tif 000014
【図１３】
2014522160.tif 000015
【図１４】
2014522160.tif 000016
【図１５】
2014522160.tif 000017
【図１６】
2014522160.tif 000018
【国際調査報告】
2014522160.tif 000019
2014522160.tif 000020
2014522160.tif 000021
2014522160.tif 000022